(57)【要約】【課題】要望に応じた劣化度合の媒体を排出し得るようにする。【解決手段】現金自動預払機１の紙幣入出金機１０は、紙幣収納庫１６に収納する各紙幣の金種、記番号及び劣化度合を紙幣情報として紙幣情報テーブルＴ１に記憶させておく。紙幣入出金機１０は、出金処理において、まず利用者の操作指示に基づき、出金すべき紙幣の金種及び劣化度合毎に選別枚数を指定した選別条件を決定する。次に紙幣入出金機１０は、紙幣収納庫１６から繰り出した紙幣の記番号を鑑別部１４によって読み取り、紙幣情報テーブルＴ１から当該記番号と対応付けられた劣化度合を読み出し、選別条件を満たす紙幣のみを選別して出金する。これにより紙幣入出金機１０は、利用者が所望する劣化度合の紙幣を直接出金できる。【選択図】図１０
2016012183.tif 000002
【特許請求の範囲】
【請求項１】
媒体を収納する収納部と、
前記収納部に収納されている前記媒体を排出する際、当該媒体の劣化度合を指示する排出指示を受け付ける受付部と、
前記収納部に収納されている前記媒体を搬送する搬送部と、
前記搬送部により搬送された前記媒体を排出する排出部と、
前記収納部に収納されている前記媒体のうち、前記排出指示に応じた前記劣化度合の前記媒体を選別する選別処理部と、
前記選別処理部により選別された前記媒体を、前記搬送部により前記収納部から前記排出部へ搬送させて排出させる制御部と
を具えることを特徴とする媒体取引装置。
【請求項２】
前記媒体を個別に特定する特定情報と、前記媒体の前記劣化度合とを対応付けて記憶する記憶部
をさらに具え、
前記選別処理部は、前記記憶部の前記特定情報を基に、前記媒体それぞれの前記劣化度合を読み出し、前記排出指示に応じた前記媒体を選別する
ことを特徴とする請求項１に記載の媒体取引装置。
【請求項３】
前記搬送部により搬送される前記媒体から、当該媒体に一意に付された識別符号を読み取る鑑別部
をさらに具え、
前記記憶部は、前記媒体に付された前記識別符号を前記特定情報として記憶し、
前記選別処理部は、前記鑑別部により前記媒体から読み取られた前記識別符号と対応付けて前記記憶部に記憶されている前記劣化度合を読み出し、前記排出指示に応じた前記媒体を選別する
ことを特徴とする請求項２に記載の媒体取引装置。
【請求項４】
前記媒体を投入させる投入部
をさらに具え、
前記鑑別部は、前記投入部に投入された前記媒体の前記識別符号を読み取ると共に前記劣化度合を鑑別し、
前記記憶部は、前記投入部に投入された前記媒体に関し、前記鑑別部により読み取られた前記識別符号と鑑別された前記劣化度合とを対応付けて記憶する
ことを特徴とする請求項３に記載の媒体取引装置。
【請求項５】
前記記憶部は、外部の劣化度合鑑別装置において読み取られた記番号と鑑別された前記劣化度合とを当該劣化度合鑑別装置から取得し、両者を対応付けて記憶する
ことを特徴とする請求項３に記載の媒体取引装置。
【請求項６】
前記記憶部は、前記収納部における前記媒体の収納順序を前記特定情報として記憶し、
前記選別処理部は、前記収納部における前記媒体の収納順序を認識し、当該収納順序と対応付けて前記記憶部に記憶されている前記劣化度合を読み出し、前記排出指示に応じた前記媒体を選別する
ことを特徴とする請求項２に記載の媒体取引装置。
【請求項７】
前記媒体を投入させる投入部と、
前記投入部に投入された前記媒体の前記劣化度合を鑑別する鑑別部と
をさらに具え、
前記搬送部は、前記投入部に投入され前記鑑別部により鑑別された前記媒体を前記収納部へ順次搬送して収納させ、
前記収納部は、前記搬送部により搬送された順序に従って前記媒体を収納し、
前記記憶部は、前記投入部に投入された前記媒体に関し、前記鑑別部により鑑別された前記劣化度合と前記収納部における前記収納順序とを対応付けて記憶する
ことを特徴とする請求項６に記載の媒体取引装置。
【請求項８】
前記収納部は、前記媒体取引装置及び所定の媒体装填装置に対して着脱可能であり、
前記媒体装填装置は、前記媒体取引装置から取り外された前記収納部に対し、前記劣化度合を鑑別した前記媒体を装填すると共に、前記収納順序を認識し、
前記記憶部は、前記媒体装填装置により装填され前記収納部に収納している前記媒体に関し、前記媒体装填装置から取得した前記劣化度合と前記収納順序とを対応付けて記憶する
ことを特徴とする請求項６に記載の媒体取引装置。
【請求項９】
前記記憶部に記憶している前記劣化度合情報を基に、前記劣化度合に応じて排出可能な前記媒体の数量を提示する提示部
をさらに具えることを特徴とする請求項２に記載の媒体取引装置。
【請求項１０】
前記受付部は、所定の前記劣化度合とその数量とが予め指定された省入力操作子を有し、当該省入力操作子に対する操作指示を、前記劣化度合及び前記数量による排出指示として受け付ける
ことを特徴とする請求項１に記載の媒体取引装置。
【請求項１１】
前記搬送部により搬送される前記媒体の前記劣化度合を鑑別する鑑別部
をさらに具え、
前記選別処理部は、前記収納部から繰り出された前記媒体を前記鑑別部により鑑別して得られた前記劣化度合を基に、前記排出指示に応じた前記媒体を選別する
ことを特徴とする請求項１に記載の媒体取引装置。
【発明の詳細な説明】
【技術分野】
【０００１】
本発明は媒体取引装置に関し、例えば利用者に要求された紙幣等の媒体を繰り出して所望の取引を行う現金自動預払機（ＡＴＭ：Automatic Teller Machine）に適用して好適なものである。
【背景技術】
【０００２】
従来、金融機関等で使用される現金自動預払機等においては、利用者との取引内容に応じて、例えば利用者に紙幣や硬貨等の現金を入金させ、また利用者へ現金を出金するものが広く普及している。
【０００３】
現金自動預払機は、例えば利用者の要求に応じて紙幣を出金する出金取引において、出金を希望する金額（以下これを出金額と呼ぶ）を指示させ、当該出金額に応じた金種及び枚数の紙幣を選択して出金する。
【０００４】
また現金自動預払機のなかには、出金額を指示する際に所定の両替指示を受け付けた場合に、出金額の一部を多数枚の比較的小さい金額の紙幣とすることにより、出金と同時に両替を行い得るものも提案されている（例えば、特許文献１参照）。
【先行技術文献】
【特許文献】
【０００５】
【特許文献１】特開２００９−１５１７２２号公報（第４図等）
【発明の概要】
【発明が解決しようとする課題】
【０００６】
ところで、利用者のなかには、祝儀等に用いる目的で、新券やこれに準ずる程度に状態が良好な、すなわち劣化度合が小さい紙幣を要望する場合がある。しかしながら、このような劣化度合が小さい紙幣は、従来の現金自動預払機から選択的に出金することができなかった。
【０００７】
このため利用者は、例えば金融機関において現金自動預払機から出金した紙幣を窓口へ持ち込み、その際に職員等に依頼して劣化度合の小さい紙幣に交換する、或いは敢えて窓口において出金取引を行い、その際に劣化度合の小さい紙幣を要望する、等の手間をかける必要があった。
【０００８】
本発明は以上の点を考慮してなされたもので、要望に応じた劣化度合の媒体を排出し得る媒体取引装置を提案しようとするものである。
【課題を解決するための手段】
【０００９】
かかる課題を解決するため本発明の媒体取引装置においては、媒体を収納する収納部と、収納部に収納されている媒体を排出する際、当該媒体の劣化度合を指示する排出指示を受け付ける受付部と、収納部に収納されている媒体を搬送する搬送部と、搬送部により搬送された媒体を排出する排出部と、収納部に収納されている媒体のうち、排出指示に応じた劣化度合の媒体を選別する選別処理部と、選別処理部により選別された媒体を、搬送部により収納部から排出部へ搬送させて排出させる制御部とを設けるようにした。
【００１０】
本発明は、収納部に収納している媒体から排出指示の内容に応じた劣化度合のものを選別して排出できるので、排出された媒体を改めて所望の劣化度合の媒体と交換させる必要が無い。
【発明の効果】
【００１１】
本発明によれば、要望に応じた劣化度合の媒体を排出し得る媒体取引装置を実現できる。
【図面の簡単な説明】
【００１２】
【図１】現金自動預払機の構成を示す略線的斜視図である。
【図２】紙幣入出金機の構成を示す略線図である。
【図３】現金自動預払機及び紙幣入出金機のブロック構成を示すブロック図である。
【図４】第１の実施の形態による紙幣情報テーブルを示す略線図である。
【図５】入金処理手順を示すフローチャートである。
【図６】出金処理手順を示すフローチャートである。
【図７】取引種類選択画面の構成を示す略線図である。
【図８】第１の実施の形態による選別条件決定処理手順を示すフローチャートである。
【図９】簡易指定画面の構成を示す略線図である。
【図１０】第１の実施の形態による詳細指定画面の構成を示す略線図である。
【図１１】条件変更確認画面の構成を示す略線図である。
【図１２】第１の実施の形態による選別出金処理手順を示すフローチャートである。
【図１３】通常出金処理手順を示すフローチャートである。
【図１４】第２の実施の形態による紙幣情報テーブルを示す略線図である。
【図１５】第３の実施の形態による紙幣収納庫情報テーブルを示す略線図である。
【図１６】第３の実施の形態による選別出金処理手順を示すフローチャートである。
【図１７】第４の実施の形態による選別条件決定処理手順を示すフローチャートである。
【図１８】第４の実施の形態による詳細指定画面の構成を示す略線図である。
【図１９】第４の実施の形態による選別出金処理手順を示すフローチャートである。
【発明を実施するための形態】
【００１３】
以下、発明を実施するための形態（以下実施の形態とする）について、図面を用いて説明する。
【００１４】
［１．第１の実施の形態］
［１−１．現金自動預払機及び紙幣入出金機の構成］
図１に外観を示すように、現金自動預払機１は、箱状の筐体２を中心に構成されており、例えば金融機関等に設置され、利用者との間で入金取引や出金取引等の現金に関する取引を行う。以下では、現金自動預払機１のうち利用者が対峙する側を前側とし、その反対を後側とし、当該前側に対峙した利用者から見て左及び右をそれぞれ左側及び右側とし、さらに上側及び下側を定義して説明する。
【００１５】
筐体２は、その前側に利用者が対峙した状態で紙幣の投入やタッチパネルによる操作等をしやすい箇所に顧客応対部３が設けられている。顧客応対部３は、金融機関の顧客等の利用者との間で現金や通帳等を直接やり取りすると共に、取引に関する情報の通知や操作指示の受付を行うようになっており、カード入出口４、入出金口５、操作表示部６、テンキー７、及びレシート発行口８が設けられている。
【００１６】
カード入出口４は、キャッシュカード等の各種カードが挿入又は排出される部分である。カード入出口４の奥側には、各種カードに磁気記録された口座番号等の読み取りを行うカード処理部４Ａ（図３）が設けられている。入出金口５は、利用者が入金する紙幣が投入されると共に、利用者へ出金する紙幣が排出される部分である。
【００１７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部８Ａ（図３）が設けられている。
【００１８】
筐体２内には、現金自動預払機１全体を統括制御する主制御部９や、紙幣に関する種々の処理を行う紙幣入出金機１０等が設けられている。
【００１９】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部９Ｍを有しており、この記憶部９Ｍに種々の情報を記憶させる。
【００２０】
紙幣入出金機１０は、図２に側面図を示すように、その内部に紙幣制御部１１、入出金部１２、搬送部１３、鑑別部１４、一時保留部１５、紙幣収納庫１６、リジェクト庫１７、取忘収納庫１８及び偽券収納庫１９が設けられている。
【００２１】
また紙幣入出金機１０が取り扱う紙幣には、記番号が付されている。この記番号は、各紙幣に一意に割り当てられた識別符号であり、複数の文字や記号の組み合わせで構成されている。この記番号は、個別の紙幣を特定する場合等に利用される。
【００２２】
紙幣制御部１１は、図３に現金自動預払機１全体を含む紙幣入出金機１０のブロック構成を示すように、主制御部９と連携しながら、当該紙幣入出金機１０を統括的に制御する。紙幣制御部１１は、主制御部９と同様、図示しないＣＰＵを中心に構成されており、所定のプログラムを実行することにより、入金処理や出金処理等、種々の処理を行う。
【００２３】
また紙幣制御部１１は、内部にＲＡＭ及びフラッシュメモリ等でなる記憶部１１Ｍを有しており、この記憶部１１Ｍに入金プログラム等の各種プログラムや種々の情報を記憶させている。また記憶部１１Ｍは、紙幣に関する情報を格納する紙幣情報テーブル（詳しくは後述する）も記憶している。
【００２４】
入出金部１２（図２）は、上方が開放された箱状の収容器１２Ａを中心に構成されている。収容器１２Ａは、利用者へ受け渡すべき紙幣又は利用者から受け渡される紙幣を前後方向に沿って整列した状態で収容する。この収容器１２Ａの上方には、開閉可能なシャッタ１２Ｂが設けられている。また入出金部１２は、収容器１２Ａ内に収容されている紙幣を１枚ずつに分離して搬送部１３に受け渡す分離部（図示せず）も有している。
【００２５】
搬送部１３は、図示しないモータ、ローラ、ベルト及びガイド等により紙幣入出金機１０内の各部を結ぶような搬送経路を形成している。この搬送部１３は、ローラを適宜回転させ、またベルトを適宜走行させることにより、紙幣の短辺に沿った方向を進行方向として、この搬送経路に沿って搬送する。
【００２６】
鑑別部１４は、内部に光学センサ、イメージセンサや磁気センサ等の各種センサを有している。鑑別部１４は、この各種センサから得られた検出結果を基に、紙幣の金種を判別し、また正当な紙幣（いわゆる正券）又は偽造された紙幣（いわゆる偽造券若しくは偽券）の何れであるかを判別し、さらに損傷の程度等を判別する。説明の都合上、以下ではこれらの判別処理の結果をまとめて鑑別結果と呼ぶ。
【００２７】
また鑑別部１４は、イメージセンサから得られた画像に対し所定の文字鑑別処理を行うことにより記番号を読み取る。そのうえで鑑別部１４は、得られた鑑別結果及び読み取った記番号を紙幣制御部１１へ通知する。これに応じて紙幣制御部１１は、得られた鑑別結果を基に各紙幣の搬送先を決定する。
【００２８】
一時保留部１５は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出す。このため一時保留部１５は、搬送部１３により搬送されてきた順序を維持したまま紙幣を収納し、収納前と逆の順序で紙幣を繰り出す。因みに一時保留部１５は、最大で例えば２００枚の紙幣を収納することができる。
【００２９】
紙幣収納庫１６（１６Ａ、１６Ｂ、１６Ｃ及び１６Ｄ）は、内部に多数の紙幣を集積して収納する。この紙幣収納庫１６は、例えば入金取引において、鑑別部１４の鑑別結果を基に紙幣制御部１１によって損傷の程度が小さく再利用可能と判別された紙幣が、金種ごとに振り分けられ搬送部１３により搬送されてくると、これを取り込んで収納する。また紙幣収納庫１６は、出金取引において、紙幣制御部１１の制御に基づき、指示された枚数の紙幣を１枚ずつに分離して繰り出し、搬送部１３に順次受け渡す。
【００３０】
この紙幣収納庫１６は、内部に紙幣を収納する収納空間を形成しており、当該収納空間内において、紙幣の紙面を上下方向に向けて互いに整然と重ねることにより、集積した状態で収納する。また紙幣収納庫１６は、この収納空間の上側に、当該収納空間内へ紙幣を放出して集積させると共に、当該収納空間内に集積されている紙幣を最上面から１枚ずつに分離して繰り出す分離放出部を設けている。
【００３１】
このため紙幣収納庫１６は、収納時には搬送部１３により搬送されてきた順序を維持したまま下から上へ紙幣を積み上げていき、繰出時には収納時と逆の順序で紙幣を繰り出すことができる。換言すれば、紙幣収納庫１６は、搬送部１３により搬送されたときの順序を維持したまま収納空間内に紙幣を収納し、これと反対の順序で収納空間内から紙幣を繰り出して搬送部１３へ受け渡すことができる。
【００３２】
リジェクト庫１７は、鑑別部１４において損傷の程度が大きく再利用すべきでないと鑑別された紙幣（いわゆるリジェクト紙幣）を収納する。取忘収納庫１８は、利用者が入出金部１２から取り忘れた紙幣を収納する。偽券収納庫１９は、鑑別部１４において偽券と判別された紙幣を収納する。
【００３３】
ところで紙幣制御部１１は、上述した記憶部１１Ｍに加えて、後述する入金プログラムや出金プログラム等を実行することにより、劣化度合決定部１１Ｄ及び選別処理部１１Ｓといった複数の機能ブロックが内部に形成される。
【００３４】
劣化度合決定部１１Ｄは、鑑別部１４から得られる鑑別結果を基に、各紙幣における損傷や汚れの程度、皺や折目の大きさや量などを総合的に判断することにより、製造された直後の状態（いわゆる新券）からの劣化の度合を表す劣化度合を決定する。
【００３５】
例えば、市場における流通の頻度が小さい紙幣は、損傷や汚れ、皺や折目等が少ないことが多く、劣化度合が低いと決定される。一方、市場における流通の頻度が高い紙幣は、損傷や汚れの程度が大きく、また皺や折目等も増えるため、劣化度合が高いと決定される。因みに劣化度合決定部１１Ｄは、劣化度合を「高」、「中」及び「低」といった３段階に分類して決定する。
【００３６】
選別処理部１１Ｓは、紙幣収納庫１６に収納されている紙幣を出金する際に、劣化度合に関して指定された条件を満たす紙幣を選別するようになっている。
【００３７】
また紙幣制御部１１の記憶部１１Ｍは、図４に示す紙幣情報テーブルＴ１を記憶している。この紙幣情報テーブルＴ１は、紙幣収納庫１６に収納している紙幣についての情報を格納する。具体的に紙幣情報テーブルＴ１には、金種を表す金種欄、記番号を表す記番号欄及び劣化度合を表す劣化度合欄といった複数の欄が設けられている。
【００３８】
このうち金種欄には、鑑別部１４において判別された金種を表す金種情報が格納される。記番号欄には、鑑別部１４において読み取られた記番号を表す記番号情報が格納される。劣化度合欄には、上述した劣化度合決定部１１Ｄ（図３）により決定された劣化度合が劣化度合情報として格納される。
【００３９】
このように紙幣制御部１１は、紙幣の鑑別結果を基に劣化度合を決定すると共に、読み取った記番号とこの劣化度合とを対応付けて、記憶部１１Ｍの紙幣情報テーブルＴ１（図４）に格納するようになっている。
【００４０】
［１−２．入金処理］
次に、紙幣入出金機１０における紙幣の入金処理について説明する。例えば現金自動預払機１は、利用者と取引処理を行い得る状態、いわゆる運用状態にあるとき、操作表示部６（図１）に所定のメニュー画面（図示せず）を表示した状態で利用者から各種取引処理を開始する操作指示を待ち受けている。
【００４１】
現金自動預払機１の主制御部９は、利用者から入金取引を開始する操作指示を受け付けると、紙幣入出金機１０の紙幣制御部１１に対し入金処理の開始を指示する。これに応じて紙幣制御部１１は、記憶部１１Ｍから所定の入金プログラムを読み出して実行することにより、図５に示す入金処理手順ＲＴ１を開始してステップＳＰ１へ移る。
【００４２】
ステップＳＰ１において紙幣制御部１１は、入出金部１２のシャッタ１２Ｂを開いて収容器１２Ａ内へ紙幣を投入させる。入出金部１２は、利用者により収容器１２Ａに紙幣が投入された上で、操作表示部６を介して取込開始の操作指示を受け付けると、シャッタ１２Ｂを閉塞して次のステップＳＰ２へ移る。
【００４３】
ステップＳＰ２において紙幣制御部１１は、入出金部１２の分離部（図示せず）により収容器１２Ａ内から１枚の紙幣を分離して搬送部１３に受け渡させ、当該搬送部１３により紙幣を鑑別部１４へ搬送させて、次のステップＳＰ３へ移る。ステップＳＰ３において紙幣制御部１１は、鑑別部１４により紙幣を鑑別させると共に記番号を読み取らせ、得られた鑑別結果及び記番号を当該鑑別部１４から取得して、次のステップＳＰ４へ移る。
【００４４】
ステップＳＰ４において紙幣制御部１１は、劣化度合決定部１１Ｄ（図３）により、得られた鑑別結果を基に紙幣の劣化度合を決定し、さらに紙幣の搬送先を決定して次のステップＳＰ５へ移る。このとき紙幣制御部１１は、取得した記番号と対応付けて、決定した劣化度合及び搬送先等を記憶部１１Ｍに一時的に記憶させておく。
【００４５】
因みに紙幣の搬送先は、紙幣と認められなかったもの（いわゆる入金リジェクト紙幣）であれば入出金部１２となり、偽券であれば偽券収納庫１９となり、正券であり再利用可能であれば金種に応じて紙幣収納庫１６Ａ〜１６Ｄとなり、正券であり再利用不可能であればリジェクト庫１７となる。
【００４６】
ステップＳＰ５において紙幣制御部１１は、鑑別部１４を通過した紙幣をそれぞれ搬送先に応じて搬送し、次のステップＳＰ６へ移る。具体的に紙幣制御部１１は、決定した搬送先が入出金部１２である紙幣、すなわち入金リジェクト紙幣を入出金部１２へ搬送して利用者に返却し、決定した搬送先がそれ以外である紙幣を一時保留部１５へ搬送して収納させる。
【００４７】
ステップＳＰ６において紙幣制御部１１は、ステップＳＰ１において入出金部１２に投入された全ての紙幣を装置内部へ取り込んだか否か、すなわち入出金部１２内に紙幣が残っていないか否かを判定する。ここで否定結果が得られると、紙幣制御部１１は、再度ステップＳＰ２へ戻って一連の処理を繰り返すことにより、収容器１２Ａ内の残りの紙幣を順次搬送して鑑別させ、記番号等を取得して紙幣情報テーブルＴ１に記憶させていく。
【００４８】
一方、ステップＳＰ６において肯定結果が得られると、紙幣制御部１１は次のステップＳＰ７へ移り、入金された全紙幣の金種及び枚数を集計することにより入金額を算出し、操作表示部６（図１）に所定の確認画面を表示して次のステップＳＰ８へ移る。このとき確認画面には、算出された入金額が表示されると共に、利用者に対し、入金取引を継続するか否かを指示させる継続ボタンが表示される。因みに紙幣制御部１１は、入金リジェクト紙幣が発生したことにより入出金部１２へ搬送していた場合、シャッタ１２Ｂを開放して当該入金リジェクト紙幣を利用者に返却する。
【００４９】
ステップＳＰ８において紙幣制御部１１は、利用者から入金取引を継続する指示を受け付けたか否かを判定する。ここで肯定結果が得られると、このことは一時保留部１５に収納している全ての紙幣を、それぞれの搬送先へ搬送して収納するべきであることを表している。このとき紙幣制御部１１は、次のステップＳＰ９へ移る。
【００５０】
ステップＳＰ９において紙幣制御部１１は、記憶部１１Ｍに一時的に記憶している情報を参照した上で、一時保留部１５に収納している全ての紙幣を、それぞれの搬送先、すなわち紙幣収納庫１６Ａ〜１６Ｄ、リジェクト庫１７又は偽券収納庫１９へ搬送させ、次のステップＳＰ１０へ移る。
【００５１】
ステップＳＰ１０において紙幣制御部１１は、ステップＳＰ９により紙幣収納庫１６に収納した全ての紙幣について、その金種、記番号及び劣化度合を互いに対応付けて記憶部１１Ｍの紙幣情報テーブルＴ１（図４）に記憶させる。その後紙幣制御部１１は、次のステップＳＰ１２へ移り、入金処理手順ＲＴ１を終了する。
【００５２】
これにより紙幣情報テーブルＴ１には、利用者から入金され紙幣収納庫１６に収納された紙幣について、記番号と対応付けて劣化度合がそれぞれ格納される。
【００５３】
一方、ステップＳＰ８において否定結果が得られた場合、紙幣制御部１１は次のステップＳＰ１１へ移り、一時保留部１５に収納している全ての紙幣を入出金部１２へ搬送してからシャッタ１２Ｂを開放して利用者に返却する。その後紙幣制御部１１は、次のステップＳＰ１２へ移り、入金処理手順ＲＴ１を終了する。
【００５４】
このように紙幣制御部１１は、入金された紙幣のうち紙幣収納庫１６に格納されたものについて、それぞれの記番号を読み取ると共に劣化度合を決定し、これらを対応付けて紙幣情報テーブルＴ１に記憶させるようになっている。
【００５５】
［１−３．出金処理］
次に、紙幣入出金機１０における紙幣の出金処理について説明する。現金自動預払機１の主制御部９は、上述した入金処理の場合と同様にメニュー画面（図示せず）を表示した状態で、利用者から出金取引を開始する操作指示を受け付けると、紙幣入出金機１０の紙幣制御部１１に対し出金処理の開始を指示する。
【００５６】
因みに現金自動預払機１は、このとき利用者にキャッシュカードをカード入出口４（図１）へ挿入させ、その磁気情報をカード処理部４Ａ（図３）において読み取ると共に、当該利用者にテンキー７（図１）を介して暗証番号を入力させることにより、出金対象となる口座の特定及び本人の確認を行う。
【００５７】
［１−３−１．出金処理手順］
紙幣制御部１１は、記憶部１１Ｍから所定の出金プログラムを読み出して実行することにより、図６に示す出金処理手順ＲＴ２を開始してステップＳＰ２１へ移る。ステップＳＰ２１において紙幣制御部１１は、図７に示す取引種類選択画面Ｄ１を操作表示部６（図１）に表示させ、次のステップＳＰ２２へ移る。
【００５８】
取引種類選択画面Ｄ１は、いわゆるＧＵＩ（Graphical User Interface）となっており、利用者に操作を促すメッセージＭ１と、利用者に処理を選択させる４種類のボタンＢ１〜Ｂ４とが表示されている。
【００５９】
ボタンＢ１は、「綺麗な紙幣を指定して出金」と表示されており、出金時に「綺麗な紙幣」、すなわち劣化度合の小さい紙幣を指定して出金取引を行うことを意味する。ボタンＢ２は、「通常の取引」と表示されており、出金時に特に劣化度合について指定せず、金額のみを指定して出金取引を行うことを意味する。
【００６０】
ボタンＢ３は、「前の画面に戻る」と表示されており、直前の画面を表示した処理状態に戻ることを意味する。ボタンＢ４は、「取引を中止する」と表示されており、出金取引を中止すること、すなわち出金処理手順ＲＴ２を終了することを意味する。
【００６１】
ステップＳＰ２２において紙幣制御部１１は、劣化度合を指定する旨の指示を受け付けたか否か、具体的には取引種類選択画面Ｄ１（図７）においてボタンＢ１が押下操作されたか否かを表している。ここで肯定結果が得られると、紙幣制御部１１は次のステップＳＰ２３へ移る。
【００６２】
ステップＳＰ２３において紙幣制御部１１は、サブルーチンとして、後述する選別条件決定処理を行うことにより、利用者の指示を基に、出金する紙幣の金種及び劣化度合ごとの枚数（以下これを選別枚数と呼ぶ）を指定した選別条件を決定し、次のステップＳＰ２４へ移る。
【００６３】
ステップＳＰ２４において紙幣制御部１１は、サブルーチンとして、後述する選別出金処理を行うことにより、選別条件を満たす紙幣を選別して出金し、次のステップＳＰ２６へ移って出金処理手順ＲＴ２を終了する。
【００６４】
一方、ステップＳＰ２２において否定結果が得られると、このことは利用者が劣化度合を指定せずに出金額のみを指定する意思を有しており、取引種類選択画面Ｄ１（図７）においてボタンＢ２が押下操作されたことを表している。このとき紙幣制御部１１は、次のステップＳＰ２５へ移る。
【００６５】
ステップＳＰ２５において紙幣制御部１１は、サブルーチンとして、後述する通常出金処理を行うことにより、紙幣を劣化度合に応じて選別すること無く、利用者に指示された出金額に応じた金種及び枚数の紙幣を出金し、次のステップＳＰ２６へ移って出金処理手順ＲＴ２を終了する。
【００６６】
このように紙幣制御部１１は、出金処理において、金額のみを指定して出金する通常出金処理の他に、利用者の指示を基に決定した選別条件を満たす紙幣を選別して出金する選別出金処理を行うようになっている。
【００６７】
［１−３−２．選別条件決定処理］
次に、選別条件決定処理について説明する。紙幣制御部１１は、出金処理手順ＲＴ２（図６）のステップＳＰ２３において、図８に示す選別条件決定処理手順ＲＴ３をサブルーチンとして開始し、ステップＳＰ３１へ移る。ステップＳＰ３１において紙幣制御部１１は、図９に示す簡易指定画面Ｄ２を操作表示部６（図１）に表示させ、次のステップＳＰ３２へ移る。
【００６８】
簡易指定画面Ｄ２は、取引種類選択画面Ｄ１と同様にＧＵＩとなっており、利用者に劣化度合の指定方法を選択させる４種類のボタンＢ１１〜Ｂ１４と、利用者に処理を選択させる２種類のボタンＢ１５及びＢ１６とが表示されている。
【００６９】
省入力操作子としてのボタンＢ１１〜Ｂ１３は、それぞれ「新札１万円出金」、「新札５万円出金」及び「新札１０万円出金」と表示されており、それぞれ劣化度合の小さい紙幣を１万円分、５万円分又は１０万円分、すなわち１万円札を１枚、５枚又は１０枚出金することを意味する。これを換言すれば、これらのボタンＢ１１〜Ｂ１３は、出金処理における紙幣の劣化度合や金額等の詳細な指定操作を省略させ、これらを簡易に指定させる役割を果たす。以下では、このボタンＢ１１〜Ｂ１３の何れかが利用者に押下操作されることを、「選別条件を簡易指定する」とも表現する。
【００７０】
因みにボタンＢ１１〜Ｂ１３に割り当てられた１万円、５万円及び１０万円といった金額は、日本における風習として、祝儀等として贈られることが多い金額である。これらの祝儀等において贈られる紙幣は、できるだけ劣化度合が小さいものが好まれる。
【００７１】
ボタンＢ１４は、「枚数を指定して出金」と表示されており、劣化程度や金種毎に利用者に枚数を詳細に指定させて出金することを意味している。またボタンＢ１５及びＢ１６は、それぞれボタンＢ３及びＢ４（図７）と同様の機能を有する。
【００７２】
ステップＳＰ３２において紙幣制御部１１は、簡易指定されたか否か、すなわちボタンＢ１１〜Ｂ１３の何れかが利用者に押下操作されたか否かを判定する。ここで肯定結果が得られると、このことは簡易指定画面（図９）においてボタンＢ１１〜Ｂ１３のいずれかが押下操作されたこと、すなわち簡易指定されたことを表す。このとき紙幣制御部１１は、次のステップＳＰ３３へ移る。
【００７３】
ステップＳＰ３３において紙幣制御部１１は、押下操作されたボタンＢ１１〜Ｂ１３に応じて劣化度合及び金種毎の枚数を決定し、次のステップＳＰ３６へ移る。例えば紙幣制御部１１は、ボタンＢ１２が押下操作された場合、希望枚数として、劣化度合が低い「１００００円」の紙幣を５枚とする。
【００７４】
一方、ステップＳＰ３２において否定結果が得られると、このことはボタンＢ１４が押下操作されており、利用者が劣化程度や金種毎に紙幣の枚数を詳細に指定する意思を有することを意味する。このとき紙幣制御部１１は、次のステップＳＰ３４へ移る。
【００７５】
ステップＳＰ３４において紙幣制御部１１は、図１０に示す詳細指定画面Ｄ３を操作表示部６（図１）に表示させる。詳細指定画面Ｄ３は、概ね上半分に出金可能枚数テーブルＴ２１が表示され、中程にメッセージＭ２１が表示され、概ね下半分に枚数入力テーブルＴ２２が表示され、下端近傍にボタンＢ２１及びＢ２２が表示されている。
【００７６】
出金可能枚数テーブルＴ２１は、左端に縦方向に沿って「１００００円」、「５０００円」及び「１０００円」といった紙幣の金種が項目名として表示され、上端に横方向に沿って「かなり綺麗」、「少し使用感あり」及び「使用に問題なし」といった紙幣の状態、すなわち劣化度合が項目名として表示される。因みにこれらの各項目は、紙幣情報テーブルＴ１（図４）に格納されている各紙幣の劣化度合を表す「低」、「中」及び「高」とそれぞれ対応するものである。
【００７７】
この出金可能枚数テーブルＴ２１の格子状に配置された各欄には、紙幣の金種及び劣化度合ごとに、紙幣収納庫１６に首脳されている紙幣の枚数、すなわち出金可能な紙幣の枚数がそれぞれ表示される。因みに各紙幣の枚数は、紙幣情報テーブルＴ１（図４）に格納された情報を集計することにより算出される。ただし出金可能な枚数は、入出金部１２（図２）に収容可能な最大の枚数である２００枚が上限となっている。
【００７８】
メッセージＭ２１には、枚数入力テーブルＴ２２の各欄に枚数を入力する旨の指示が表示される。枚数入力テーブルＴ２２は、出金可能枚数テーブルＴ１１と同様、左端に縦方向に沿って紙幣の金額が項目名として表示され、上端に横方向に沿って劣化度合が項目名として表示される。この枚数入力テーブルＴ２２における格子状の各欄には、金種及び劣化度合ごとに、利用者が出金を希望する紙幣の枚数がそれぞれ入力される。
【００７９】
ボタンＢ２２は、「ＯＫ」の文字が表示されており、枚数入力テーブルＴ２２に対する入力内容を確定して処理を先へ進めることを意味する。紙幣制御部１１は、利用者により枚数入力テーブルＴ２２の各欄にそれぞれ所望する紙幣の枚数が入力された上でボタンＢ２２が押下操作されると、次のステップＳＰ３５へ移る。因みにボタンＢ２１は、ボタンＢ４（図７）と同様の機能を有する。
【００８０】
ステップＳＰ３５において紙幣制御部１１は、利用者により枚数入力テーブルＴ２２（図１０）の各欄に入力された、金種毎及び劣化度合毎の枚数（すなわち選別枚数）をまとめて選別条件として決定し、次のステップＳＰ３６へ移る。
【００８１】
ステップＳＰ３６において紙幣制御部１１は、紙幣情報テーブルＴ１（図４）を参照することにより、金種及び劣化度合毎に、紙幣収納庫１６に収納している紙幣の枚数と決定された選別枚数とを比較し、次のステップＳＰ３７へ移る。
【００８２】
ステップＳＰ３７において紙幣制御部１１は、全ての金種及び劣化度合について、選別枚数の紙幣を出金可能であるか否かを判定する。ここで否定結果が得られると、このことは利用者に指定された選別条件を満たす紙幣が紙幣収納庫１６に収納されておらず、出金できないことを表している。このとき紙幣制御部１１は、次のステップＳＰ３８へ移る。
【００８３】
ステップＳＰ３８において紙幣制御部１１は、図１１に示す条件変更確認画面Ｄ４を操作表示部６（図１）に表示させ、次のステップＳＰ３９へ移る。この条件変更確認画面Ｄ４には、上端近傍にメッセージＭ３１が表示され、中央に枚数提示テーブルＴ３１が表示され、下端近傍にボタンＢ３１、Ｂ３２及びＢ３３が表示される。
【００８４】
メッセージＭ３１には、金種及び劣化度合毎の選別枚数のうち何れかが、紙幣収納庫１６に収納されている紙幣の枚数を超えており、枚数提示テーブルＴ３１に示すように枚数を変更する（低減させる）必要がある旨と、その確認を依頼する旨が表示される。
【００８５】
枚数提示テーブルＴ３１は、出金可能枚数テーブルＴ２１（図１０）等と同様、左端に縦方向に沿って紙幣の金額が項目名として表示され、上端に横方向に沿って劣化度合が項目名として表示される。この枚数提示テーブルＴ３１の各欄には、金種及び劣化度合毎に、紙幣収納庫１６に収納されている紙幣の枚数に応じて選別枚数から適宜変更された枚数がそれぞれ提示される。
【００８６】
ボタンＢ３３は、「ＯＫ」の文字が表示されており、枚数提示テーブルＴ３１により提示された金種及び劣化度合毎の枚数を了承して出金処理を進めることを意味する。ボタンＢ３２は、「枚数選択画面に戻る」の文字が表示されており、詳細指定画面Ｄ３（図１０）において枚数を入力する処理に戻ることを意味する。因みにボタンＢ３１は、ボタンＢ４（図７）と同様の機能を有する。
【００８７】
ステップＳＰ３９において紙幣制御部１１は、枚数提示テーブルＴ３１により提示された金種及び劣化度合毎の枚数となるように選別条件を変更することが了承されたか否か、すなわちボタンＢ３３が押下操作されたか否かを判定する。ここで否定結果が得られると、このことはボタンＢ３２が押下操作されることにより、利用者が金種及び劣化度合毎の枚数を再度指定する意思を有していることを表している。このとき紙幣制御部１１は、再度ステップＳＰ３４へ戻る。
【００８８】
一方、ステップＳＰ３９において肯定結果が得られると、紙幣制御部１１は次のステップＳＰ４０へ移り、枚数提示テーブルＴ３１により提示された金種及び劣化度合毎の枚数を新たな選別枚数として更新し、次のステップＳＰ４１へ移って選別条件決定処理手順ＲＴ３を終了する。
【００８９】
一方、ステップＳＰ３７において肯定結果が得られると、このことは選別条件を満たすような金種及び劣化度合の紙幣を出金できることを表している。このとき紙幣制御部１１は、次のステップＳＰ４１へ移って選別条件決定処理手順ＲＴ３を終了する。
【００９０】
このように紙幣制御部１１は、選別条件決定処理手順ＲＴ３において、利用者に簡易指定させ、又は金種及び劣化度合毎に詳細な枚数を指定させることにより、出金する紙幣の金種及び劣化度合毎の枚数を詳細に指定した選別条件を決定する。
【００９１】
［１−３−３．選別出金処理］
次に、選別出金処理について説明する。紙幣制御部１１は、出金処理手順ＲＴ２（図６）のステップＳＰ２４において、図１２に示す選別出金処理手順ＲＴ４をサブルーチンとして開始し、ステップＳＰ５１へ移る。
【００９２】
ステップＳＰ５１において紙幣制御部１１は、紙幣収納庫１６から１枚の紙幣を繰り出し、鑑別部１４へ搬送して鑑別させ、次のステップＳＰ５２へ移る。因みに紙幣収納庫１６は、このとき内部の収納空間内において最上面に重ねられた１枚の紙幣を分離放出部により分離して繰り出す。以下、この紙幣を対象紙幣と呼ぶ。
【００９３】
ステップＳＰ５２において紙幣制御部１１は、鑑別部１４により対象紙幣から読み取られた記番号を取得し、次のステップＳＰ５３へ移る。以下、このとき取得した記番号を対象記番号と呼ぶ。
【００９４】
ステップＳＰ５３において紙幣制御部１１は、選別処理部１１Ｓ（図３）により、記憶部１１Ｍに記憶している紙幣情報テーブルＴ１を参照し、対象記番号及び金種と対応付けられた劣化度合を読み出して、次のステップＳＰ５４へ移る。
【００９５】
ステップＳＰ５４において紙幣制御部１１は、選別処理部１１Ｓにより、対象紙幣が出金対象であるか否か、すなわち対象紙幣について鑑別された金種及び読み出した劣化度合の組み合わせが、選別条件において指定されている金種及び劣化度合の組み合わせと合致するか否かを判定する。
【００９６】
ここで否定結果が得られると、このことは当該紙幣を出金すべきでは無く、当該紙幣に代わる他の紙幣を出金するべきであることを表している。このとき紙幣制御部１１は、次のステップＳＰ５５へ移る。ステップＳＰ５５において紙幣制御部１１は、選別処理部１１Ｓにより、搬送部１３を制御して対象紙幣を一時保留部１５へ搬送し、その後ステップＳＰ５１へ戻って一連の処理を繰り返す。
【００９７】
一方、ステップＳＰ５４において肯定結果が得られると、紙幣制御部１１は次のステップＳＰ５６へ移る。ステップＳＰ５６において紙幣制御部１１は、選別処理部１１Ｓにより、搬送部１３を制御して対象紙幣を入出金部１２へ搬送し、次のステップＳＰ５７へ移る。
【００９８】
このとき選別処理部１１Ｓは、選別条件のうち対象紙幣の金種及び劣化度合と対応する選別枚数を「１」だけ削減する。これにより選別条件は、当初決定された選別枚数から入出金部１２へ搬送済の枚数が除外され、当該入出金部１２へ搬送すべき残りの紙幣の枚数を表すことになる。
【００９９】
ステップＳＰ５７において紙幣制御部１１は、選別処理部１１Ｓにより、入出金部１２へ搬送した紙幣が全ての金種及び劣化度合において選別枚数に達したか否か、すなわち当該入出金部１２へ搬送すべき残りの紙幣の枚数が「０」であるか否かを判定する。ここで否定結果が得られると、このとき紙幣制御部１１は、ステップＳＰ５１へ戻って一連の処理を繰り返すことにより、残りの出金対象とすべき紙幣を選別して入出金部１２へ搬送させる。
【０１００】
一方、ステップＳＰ５７において肯定結果が得られると、このことは金種及び劣化度合毎に設定された選別枚数の紙幣を過不足無く入出金部１２へ搬送したこと、すなわち選別条件を満たす紙幣が当該入出金部１２へ搬送されたことを表している。このとき紙幣制御部１１は、次のステップＳＰ５８へ移る。
【０１０１】
ステップＳＰ５８において紙幣制御部１１は、入出金部１２のシャッタ１２Ｂを開放させて収容器１２Ａ内の紙幣を利用者に取り出させ、次のステップＳＰ５９へ移る。
【０１０２】
ステップＳＰ５９において紙幣制御部１１は、選別処理部１１Ｓにより、一時保留部１５に収納している紙幣、すなわち紙幣収納庫１６に収納されていた紙幣のうち出金対象では無かったものを、搬送部１３により再び紙幣収納庫１６へ搬送し、次のステップＳＰ６０へ移る。
【０１０３】
ステップＳＰ６０において紙幣制御部１１は、紙幣情報テーブルＴ１に記憶している紙幣情報のうち、出金対象として出金した紙幣に関する情報を削除することにより、当該紙幣情報テーブルＴ１を更新し、次のステップＳＰ６１へ移って選別出金処理手順ＲＴ４を終了する。
【０１０４】
このように紙幣制御部１１は、出金処理において、紙幣収納庫１６から繰り出した各紙幣の劣化度合を紙幣情報テーブルＴ１から読み出して選別条件と比較することにより、当該選別条件を満たす紙幣のみを選別して出金する。
【０１０５】
［１−３−４．通常出金処理］
次に、通常出金処理について説明する。紙幣制御部１１は、出金処理手順ＲＴ２（図６）のステップＳＰ２５において、図１３に示す通常出金処理手順ＲＴ５をサブルーチンとして開始し、ステップＳＰ７１へ移る。
【０１０６】
ステップＳＰ７１において紙幣制御部１１は、所定の出金額入力画面を操作表示部６（図１）に表示させることにより、利用者に出金額を入力させ、次のステップＳＰ７２へ移る。ステップＳＰ７２において紙幣制御部１１は、入力された出金額を基に、出金する紙幣の金種及び枚数を決定し、次のステップＳＰ７３へ移る。このとき紙幣制御部１１は、劣化度合については特に考慮しない。
【０１０７】
ステップＳＰ７３において紙幣制御部１１は、搬送部１３を制御することにより、決定された金種及び枚数の紙幣を紙幣収納庫１６から順次繰り出し、鑑別部１４を経由して入出金部１２の収容器１２Ａ内へ収容させ、次のステップＳＰ７４へ移る。このとき紙幣制御部１１は、鑑別部１４により鑑別された金種及び読み取られた記番号を記憶部１１Ｍに一時的に記憶させておく。
【０１０８】
ステップＳＰ７４において紙幣制御部１１は、入出金部１２のシャッタ１２Ｂを開放して利用者に紙幣を取り出させ、次のステップＳＰ７５へ移る。
【０１０９】
ステップＳＰ７５において紙幣制御部１１は、ステップＳＰ６０（図１２）と同様、読み取った記番号を基に、紙幣情報テーブルＴ１に記憶している紙幣情報のうち、出金対象として出金した紙幣に関する情報を削除することにより、当該紙幣情報テーブルを更新する。その後紙幣制御部１１は、次のステップＳＰ７６へ移って通常出金処理手順ＲＴ５を終了する。
【０１１０】
［１−４．動作及び効果］
以上の構成において、第１の実施の形態による現金自動預払機１の紙幣入出金機１０は、取引種類選択画面Ｄ１（図７）において利用者によりボタンＢ１が押下操作されると、その操作に応じて金種及び劣化度合毎に選別枚数を指定した選別条件を決定し、当該選別条件に従って紙幣を選別した上で出金する。
【０１１１】
このため紙幣入出金機１０は、利用者が所望する劣化度合の紙幣を直接出金できるので、従来のように劣化度合を指定できなかった場合と比較して、利用者に改めて金融機関の窓口等において紙幣の交換等の手続を行わせる必要が無い。
【０１１２】
また紙幣入出金機１０は、詳細指定画面Ｄ３（図１０）において、金種及び劣化度合をそれぞれ縦方向及び横方向の項目とした表形式の枚数入力テーブルＴ２２を用いて、利用者に枚数を入力させる。このため紙幣入出金機１０は、金種及び劣化度合という２種類の異なる要素の組み合わせを直感的に視認することができ、所望する金種及び劣化度合の枚数を容易に指定させることができる。
【０１１３】
さらに紙幣入出金機１０は、紙幣収納庫１６に収納している各紙幣について、金種や劣化度合でなる紙幣情報を紙幣情報テーブルＴ１（図４）に記憶させ、詳細指定画面Ｄ３（図１０）において、枚数入力テーブルＴ２２の上側に、出金可能枚数テーブルＴ２１を用いて金種及び劣化度合毎に出金可能な紙幣の枚数を表示する。
【０１１４】
これにより紙幣入出金機１０は、利用者に対し、過大な枚数を指定させて後に変更させる、といった無駄な操作を行わせること無く、当初から出金可能な枚数を参酌しながら希望する枚数を入力させることができる。また紙幣入出金機１０は、枚数入力テーブルＴ２２と対応する表形式で出金可能枚数テーブルＴ２１を表示するため、金種及び劣化度合の組み合わせ毎に、出金可能な枚数と見比べながら枚数を入力させることができる。
【０１１５】
また紙幣入出金機１０は、入金処理において、入金された紙幣から読み取った記番号と対応付けて、鑑別した金種及び決定した劣化度合を対応付けて紙幣情報テーブルＴ１（図４）に記憶させていく。このため紙幣入出金機１０は、改めて劣化度合を決定する処理を行うこと無く、入金された紙幣に対して一般的に行われる鑑別処理の結果として得られる鑑別結果を利用し、紙幣情報として紙幣情報テーブルＴ１に記憶しておくことで、選別出金処理を行う際にこの紙幣情報を有効に利用できる。
【０１１６】
これに加えて紙幣入出金機１０は、選別条件決定処理手順ＲＴ３（図８）の初期段階で簡易指定画面Ｄ２（図９）を表示することで、利用者に金種及び劣化度合毎に詳細に枚数を指定させることの他に、簡易指定を選択させ得るようにした。このため紙幣入出金機１０は、選別条件のうち祝儀等で指定される頻度が高いものを、極めて簡単な操作で決定させることができる。
【０１１７】
さらに紙幣入出金機１０は、出金取引の開始直後に取引種類選択画面Ｄ１（図７）を表示し、選択出金処理又は通常出金処理の何れかを利用者に選択させるようにした。これにより紙幣入出金機１０は、単純に出金を希望する利用者に対しては、比較的簡単な操作により所望する金額の紙幣を素早く出金する一方、選別条件を指定した紙幣の出金を所望する利用者に対しては、金種及び劣化度合毎に選別枚数を指定した選別条件を決定させた上で、これに従った紙幣を選別して出金できる。
【０１１８】
以上の構成によれば、第１の実施の形態による現金自動預払機１の紙幣入出金機１０は、紙幣収納庫１６に収納する各紙幣の金種、記番号及び劣化度合を紙幣情報として紙幣情報テーブルＴ１に記憶させておく。紙幣入出金機１０は、出金処理において、まず利用者の操作指示に基づき、出金すべき紙幣の金種及び劣化度合毎に選別枚数を指定した選別条件を決定する。次に紙幣入出金機１０は、紙幣収納庫１６から繰り出した紙幣の記番号を鑑別部１４によって読み取り、紙幣情報テーブルＴ１から当該記番号と対応付けられた劣化度合を読み出し、選別条件を満たす紙幣のみを選別して出金する。これにより紙幣入出金機１０は、利用者が所望する劣化度合の紙幣を直接出金できる。
【０１１９】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２）は、第１の実施の形態による紙幣入出金機１０と比較して、紙幣制御部１１に代わる紙幣制御部１１１を有する点において相違するものの、他の点については同様に構成されている。
【０１２０】
紙幣制御部１１１（図３）は、紙幣制御部１１と比較して、劣化度合決定部１１Ｄを有する点において同様である一方、記憶部１１Ｍ及び選別処理部１１Ｓとそれぞれ対応する記憶部１１１Ｍ及び選別処理部１１１Ｓを有する点において相違する。
【０１２１】
記憶部１１１Ｍは、図４と対応する図１４に示すように、第１の実施の形態における紙幣情報テーブルＴ１に代えて、紙幣情報テーブルＴ２を記憶している。この紙幣情報テーブルＴ２は、紙幣情報テーブルＴ１の記番号欄に代えて順序欄が設けられている。この順序欄には、紙幣収納庫１６に収納された順序、すなわち紙幣収納庫１６内部の収納空間に集積された状態において最下面から数えた場合の順序が、順序情報として格納される。因みに記憶部１１１Ｍには、４個の紙幣収納庫１６（１６Ａ〜１６Ｄ）とそれぞれ対応する４個の紙幣情報テーブルＴ２（Ｔ２Ａ〜Ｔ２Ｄ）が記憶されている。
【０１２２】
選別処理部１１１Ｓは、第１の実施の形態における記番号では無く、紙幣収納庫１６に収納されている順序、すなわち出金処理において繰り出される順序を利用して、紙幣情報テーブルＴ２の紙幣情報と実際の紙幣とを対応付けながら、各紙幣を選別するようになっている。また選別処理部１１１Ｓは、各紙幣収納庫１６に収納されている紙幣の枚数、すなわち収納されている紙幣のうち最上面に位置している紙幣の、最下面の紙幣から数えた場合の順序を、それぞれ認識している。
【０１２３】
紙幣入出金機１１０において入金処理を行う場合、紙幣制御部１１１は、基本的には第１の実施の形態と同様に入金処理手順ＲＴ１（図５）を実行する。ただし紙幣制御部１１１は、ステップＳＰ３において鑑別部１４から記番号を取得せず、ステップＳＰ４において劣化度合を決定した際に、対象紙幣を後に紙幣収納庫１６に収納する場合の当該紙幣収納庫１６内における対象紙幣の順序と劣化度合とを対応付けて記憶部１１１Ｍに一時的に記憶させる。
【０１２４】
また紙幣制御部１１１は、ステップＳＰ１０において、紙幣収納庫１６に収納した全ての紙幣について、当該紙幣収納庫１６内における順序、金種及び劣化度合を互いに対応付けて記憶部１１１Ｍの紙幣情報テーブルＴ２（図１４）に記憶させる。
【０１２５】
さらに紙幣入出金機１１０において出金処理を行う場合、紙幣制御部１１１は、基本的には第１の実施の形態と同様に出金処理手順ＲＴ２（図６）を実行し、そのサブルーチンとして選別条件決定処理手順ＲＴ３（図８）、選別出金処理手順ＲＴ４（図１２）及び通常出金処理手順ＲＴ５（図１３）をそれぞれ実行する。
【０１２６】
ただし紙幣制御部１１１は、選別出金処理手順ＲＴ４（図１２）のステップＳＰ５２において、選別処理部１１１Ｓ（図３）により、紙幣収納庫１６内における紙幣の順序を確認する。また紙幣制御部１１１は、ステップＳＰ５３において、選別処理部１１１Ｓ（図３）により、記憶部１１１Ｍに記憶している紙幣情報テーブルＴ２を参照し、対象紙幣の紙幣収納庫１６内における順序と対応付けられた金種及び劣化度合を読み出す。
【０１２７】
また紙幣制御部１１１は、ステップＳＰ６０において、出金した紙幣及び一時保留部１５から紙幣収納庫１６へ戻された紙幣について、紙幣情報テーブルＴ２に記憶している紙幣情報を更新する。
【０１２８】
以上の構成において、第２の実施の形態による現金自動預払機１０１の紙幣入出金機１１０は、記番号に代えて紙幣収納庫１６内における集積された順序と紙幣の劣化度合等とを対応付けて紙幣情報テーブルＴ２に記憶させておく。
【０１２９】
紙幣入出金機１１０は、利用者から選別出金処理を行う指示、すなわち選別条件を指定して紙幣の出金処理を行う操作指示を受け付けた場合、紙幣収納庫１６内に収納されていたときの各紙幣の集積順序を基に、紙幣情報テーブルＴ２から劣化情報及び金種を読み出す。これにより紙幣入出金機１１０は、第１の実施の形態と同様、利用者が所望する劣化度合の紙幣を直接出金することができる。
【０１３０】
特に紙幣入出金機１１０は、紙幣収納庫１６内における収納の順序と対応付けて紙幣情報を紙幣情報テーブルＴ２に記憶させるため、入金処理及び出金処理の何れにおいても、鑑別部１４により記番号を正常に読み取れたか否かに拘わらず、紙幣情報を記憶させ、また読み出して利用することができる。
【０１３１】
その他の点においても、第２の実施の形態による紙幣入出金機１１０は、第１の実施の形態による紙幣入出金機１０と同様の作用効果を奏し得る。
【０１３２】
以上の構成によれば、第２の実施の形態による現金自動預払機１０１の紙幣入出金機１１０は、紙幣収納庫１６に収納する各紙幣の順序、金種及び劣化度合を紙幣情報として紙幣情報テーブルＴ２に記憶させておく。紙幣入出金機１１０は、出金処理において、利用者の操作指示に基づき、出金すべき紙幣の金種及び劣化度合毎に選別枚数が指定された選別条件が決定されると、紙幣収納庫１６内において紙幣が集積されていた順序を基に、紙幣情報テーブルＴ２から当該順序と対応付けられた劣化度合を読み出し、選別条件を満たす紙幣のみを選別して出金する。これにより紙幣入出金機１１０は、利用者が所望する劣化度合の紙幣を直接出金することができる。
【０１３３】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。紙幣入出金機２１０（図２）は、第１の実施の形態による紙幣入出金機１０と比較して、紙幣制御部１１に代わる紙幣制御部２１１を有する点において相違するものの、他の点については同様に構成されている。
【０１３４】
紙幣制御部２１１（図３）は、紙幣制御部１１と比較して、劣化度合決定部１１Ｄを有する点において同様である一方、記憶部１１Ｍ及び選別処理部１１Ｓとそれぞれ対応する記憶部２１１Ｍ及び選別処理部２１１Ｓを有する点において相違する。
【０１３５】
記憶部２１１Ｍは、図４と対応する図１５に示すように、第１の実施の形態における紙幣情報テーブルＴ１に代えて、紙幣収納庫情報テーブルＴ３を記憶している。この紙幣収納庫情報テーブルＴ３は、紙幣収納庫１６Ａ〜１６Ｄそれぞれに関する情報が格納されている。具体的に紙幣収納庫情報テーブルＴ３には、紙幣収納庫を表す紙幣収納庫欄、金種を表す金種欄、劣化度合を表す劣化度合欄、及び収納枚数を表す収納枚数欄がそれぞれ設けられている。
【０１３６】
すなわちこの第３の実施の形態では、紙幣収納庫１６それぞれに紙幣の劣化度合が割り当てられており、紙幣毎の劣化度合は記憶されず、その代わりに各紙幣収納庫１６における収納枚数がそれぞれ記憶される。
【０１３７】
因みにこの第３の実施の形態においては、紙幣入出金機２１０により、紙幣の金種として「１００００円」及び「１０００円」の２種類の紙幣を取り扱うものとし、また紙幣の劣化度合を「高」及び「低」の２段階に分類するものとする。
【０１３８】
選別処理部２１１Ｓは、第１及び第２の実施の形態のように、紙幣収納庫１６から繰り出したそれぞれの紙幣のうち出金すべきものを選別するのでは無く、出金すべき紙幣のみを紙幣収納庫１６から繰り出すようになっている。
【０１３９】
紙幣入出金機２１０において入金処理を行う場合、紙幣制御部２１１は、基本的には第１の実施の形態と同様に入金処理手順ＲＴ１（図５）を実行する。ただし紙幣制御部２１１は、ステップＳＰ３において鑑別部１４から記番号を取得せず、ステップＳＰ４において劣化度合を決定した際に、紙幣収納庫情報テーブルＴ３（図１５）を参照することにより、決定した劣化度合及び対象紙幣の金種と対応する紙幣収納庫１６（１６Ａ〜１６Ｄ）を搬送先として決定する。また紙幣制御部２１１は、ステップＳＰ１０において、紙幣収納庫情報テーブルＴ３の収納枚数欄を更新する。
【０１４０】
さらに紙幣入出金機２１０において出金処理を行う場合、紙幣制御部２１１は、第１の実施の形態と同様に出金処理手順ＲＴ２（図６）を実行し、ステップＳＰ２３及びＳＰ２５において、それぞれサブルーチンとして選別条件決定処理手順ＲＴ３（図８）及び通常出金処理手順ＲＴ５（図１３）を実行する。
【０１４１】
その一方で紙幣制御部２１１は、ステップＳＰ２４において、第１の実施の形態とは異なる選別出金処理を行うようになっている。具体的に紙幣制御部２１１は、選別出金処理手順ＲＴ４（図１２）に代えて、図１６に示す選別出金処理手順ＲＴ６をサブルーチンとして開始し、ステップＳＰ８１へ移る。
【０１４２】
ステップＳＰ８１において紙幣制御部２１１は、選別処理部２１１Ｓにより、紙幣収納庫情報テーブルＴ３（図１５）を参照し、紙幣の金種及び劣化度合毎に決定された選別枚数と対応付けられた紙幣収納庫１６から、１枚の紙幣を繰り出して鑑別部１４へ搬送して鑑別させ、次のステップＳＰ８２へ移る。このとき紙幣制御部２１１は、鑑別部１４から得られる鑑別結果を基に、金種に誤りが無いことや重送のような搬送上の障害が発生していないことを確認する。
【０１４３】
ステップＳＰ８２において紙幣制御部２１１は、紙幣を入出金部１２へ搬送し、次のステップＳＰ８３へ移る。このとき選別処理部２１１Ｓは、選別枚数のうち対象紙幣の金種及び劣化度合と対応する枚数を「１」だけ削減する。これにより選別枚数は、当初決定された枚数から入出金部１２へ搬送済の枚数が除外され、当該入出金部１２へ搬送すべき残りの紙幣の枚数を表すことになる。
【０１４４】
ステップＳＰ８３において紙幣制御部２１１は、選別処理部２１１Ｓにより、入出金部１２へ搬送した紙幣が選別枚数に達したか否か、すなわち当該入出金部１２へ搬送すべき残りの紙幣の枚数が「０」であるか否かを判定する。ここで否定結果が得られると、このとき紙幣制御部２１１は、ステップＳＰ８１及びＳＰ８２を繰り返すことにより、残りの紙幣を入出金部１２へ搬送させる。
【０１４５】
一方、ステップＳＰ８３において肯定結果が得られると、このことは金種及び劣化度合毎に設定された選別枚数の紙幣を過不足無く入出金部１２へ搬送したことを表している。このとき紙幣制御部２１１は、次のステップＳＰ８４へ移る。ステップＳＰ８４において紙幣制御部２１１は、入出金部１２のシャッタ１２Ｂを開放させて収容器１２Ａ内の紙幣を利用者に取り出させ、次のステップＳＰ８５へ移る。
【０１４６】
ステップＳＰ８５において紙幣制御部２１１は、紙幣収納庫情報テーブルＴ３に記憶している収納枚数を、出金した紙幣の枚数分だけ削減することにより更新し、次のステップＳＰ８６へ移って選別出金処理手順ＲＴ６を終了する。
【０１４７】
以上の構成において、第３の実施の形態による現金自動預払機２０１の紙幣入出金機２１０は、紙幣収納庫１６毎に金種及び劣化度合を割り当て、その収納枚数と共に紙幣収納庫情報テーブルＴ３に記憶させておく。
【０１４８】
紙幣入出金機２１０は、利用者から選別出金処理を行う指示、すなわち劣化度合を指定して紙幣の出金処理を行う操作指示を受け付けた場合、出金すべき紙幣の金種及び劣化度合に応じた紙幣収納庫１６（１６Ａ〜１６Ｄ）から、それぞれ選別枚数の紙幣を繰り出して出金する。これにより紙幣入出金機２１０は、第１の実施の形態と同様、利用者が所望する劣化度合の紙幣を直接出金することができる。
【０１４９】
特に紙幣入出金機２１０は、紙幣収納庫１６毎に金種及び劣化度合を割り当てているため、出金対象の紙幣のみを紙幣収納庫１６から繰り出すことができる。このため紙幣入出金機２１０は、第１及び第２の実施の形態のように、繰り出した紙幣が出金対象でなかった場合に一時保留部１５へ搬送する、といった処理を行う必要が無く、より短い時間で出金処理を完了することができる。
【０１５０】
その他の点においても、第３の実施の形態による紙幣入出金機２１０は、第１の実施の形態による紙幣入出金機１０と同様の作用効果を奏し得る。
【０１５１】
以上の構成によれば、第３の実施の形態による現金自動預払機２０１の紙幣入出金機２１０は、紙幣収納庫１６毎に金種及び劣化度合を割り当て、その収納枚数と共に紙幣収納庫情報テーブルＴ３に記憶させておく。紙幣入出金機２１０は、出金処理において、利用者の操作指示に基づき、出金すべき紙幣の金種及び劣化度合毎に選別枚数が決定されると、紙幣収納庫情報テーブルＴ３においてその金種及び劣化度合と対応付けられている紙幣収納庫１６から、紙幣を選別枚数だけ出金する。これにより紙幣入出金機２１０は、利用者が所望する劣化度合の紙幣を直接出金することができる。
【０１５２】
［４．第４の実施の形態］
第４の実施の形態による現金自動預払機３０１（図１）は、第１の実施の形態による現金自動預払機１と比較して、紙幣入出金機１０に代わる紙幣入出金機３１０を有する点において相違するものの、他の点については同様に構成されている。紙幣入出金機３１０（図２）は、第１の実施の形態による紙幣入出金機１０と比較して、紙幣制御部１１に代わる紙幣制御部３１１を有する点において相違するものの、他の点については同様に構成されている。
【０１５３】
紙幣制御部３１１（図３）は、紙幣制御部１１と比較して、劣化度合決定部１１Ｄを有する点において同様である一方、記憶部１１Ｍ及び選別処理部１１Ｓとそれぞれ対応する記憶部３１１Ｍ及び選別処理部３１１Ｓを有する点において相違する。
【０１５４】
記憶部３１１Ｍは、第１の実施の形態と異なり、紙幣情報テーブルＴ１のように個別の紙幣に関する情報を記憶していない。
【０１５５】
選別処理部３１１Ｓは、出金処理において、紙幣収納庫１６から繰り出した紙幣それぞれについて金種や劣化度合を判別した上で、選別条件を満たす紙幣のみを選別するようになっている。
【０１５６】
紙幣入出金機３１０において入金処理を行う場合、紙幣制御部２１１は、基本的には第１の実施の形態と同様に入金処理手順ＲＴ１（図５）を実行する。ただし紙幣制御部２１１は、ステップＳＰ３において鑑別部１４から記番号を取得せず、ステップＳＰ４において劣化度合を決定すること無く、搬送先のみを決定する。また紙幣制御部３１１は、ステップＳＰ１０を省略し、個別の紙幣に関する情報を何ら記憶しない。
【０１５７】
さらに紙幣入出金機３１０において出金処理を行う場合、紙幣制御部３１１は、第１の実施の形態と同様に出金処理手順ＲＴ２（図６）を実行し、ステップＳＰ２５においてサブルーチンとして通常出金処理手順ＲＴ５（図１３）を実行する。その一方で紙幣制御部３１１は、ステップＳＰ２３及びＳＰ２４において、第１の実施の形態とは異なる選別条件決定処理及び選別出金処理を行うようになっている。
【０１５８】
具体的に紙幣制御部３１１は、出金処理手順ＲＴ２（図６）のステップＳＰ２３において、選別条件決定処理手順ＲＴ３（図８）に代えて、図１７に示す選別条件決定処理手順ＲＴ７をサブルーチンとして開始し、ステップＳＰ９１へ移る。
【０１５９】
紙幣制御部３１１は、ステップＳＰ９１〜ＳＰ９５において、選別条件決定処理手順ＲＴ３（図８）のステップＳＰ３１〜ＳＰ３５とそれぞれ同様の処理を行い、ステップＳＰ９６へ移って選別条件決定処理手順ＲＴ７を終了する。すなわち紙幣制御部３１１は、紙幣収納庫１６に収納している紙幣について、その金種及び劣化度合毎の出金可能な枚数を把握していないため、決定された選別条件を出金可能な紙幣の枚数と比較しない。
【０１６０】
また紙幣制御部３１１は、ステップＳＰ９４において、詳細指定画面Ｄ３（図１０）に代えて、図１８に示す詳細指定画面Ｄ５を操作表示部６（図１）に表示させる。この詳細指定画面Ｄ５は、詳細指定画面Ｄ３から出金可能枚数テーブルＴ２１が省略されており、枚数入力テーブルＴ２２、ボタンＢ２１及びＢ２２とそれぞれ対応する枚数入力テーブルＴ４１、ボタンＢ４１及びＢ４２がそれぞれ配置されている。
【０１６１】
さらに紙幣制御部３１１は、出金処理手順ＲＴ２（図６）のステップＳＰ２４において、選別出金処理手順ＲＴ４（図１２）に代えて、図１９に示す選別出金処理手順ＲＴ８をサブルーチンとして開始し、ステップＳＰ１０１へ移る。
【０１６２】
ステップＳＰ１０１において紙幣制御部３１１は、紙幣収納庫１６から１枚の紙幣（以下これを対象紙幣と呼ぶ）を繰り出し、鑑別部１４へ搬送して鑑別させ、さらに当該鑑別部１４からその鑑別結果を取得して、次のステップＳＰ１０２へ移る。ステップＳＰ１０２において紙幣制御部３１１は、劣化度合決定部１１Ｄにより、対象紙幣の鑑別結果を基に劣化度合を決定し、次のステップＳＰ１０３へ移る。
【０１６３】
ステップＳＰ１０３において紙幣制御部３１１は、選別処理部３１１Ｓ（図３）により、対象紙幣が出金対象であるか否か、すなわち対象紙幣について鑑別された金種及び決定された劣化度合の組み合わせが、選別条件において指定されている金種及び劣化度合の組み合わせと合致するか否かを判定する。
【０１６４】
ここで否定結果が得られると、このことは当該紙幣を出金すべきでは無く、当該紙幣に代わる他の紙幣を出金するべきであることを表している。このとき紙幣制御部３１１は、次のステップＳＰ１０４へ移る。ステップＳＰ１０４において紙幣制御部３１１は、選別処理部３１１Ｓにより、搬送部１３を制御して対象紙幣を一時保留部１５へ搬送し、その後ステップＳＰ１０１へ戻って一連の処理を繰り返す。
【０１６５】
一方、ステップＳＰ５４において肯定結果が得られると、紙幣制御部３１１は次のステップＳＰ１０５へ移る。紙幣制御部３１１は、ステップＳＰ１０５、ＳＰ１０６、ＳＰ１０７及びＳＰ１０８において、選別出金処理手順ＲＴ４（図１２）のステップＳＰ５６、ＳＰ５７、ＳＰ５８及びＳＰ５９と同様の処理をそれぞれ行い、次のステップＳＰ１０９へ移って選別出金処理手順ＲＴ８を終了する。
【０１６６】
以上の構成において、第４の実施の形態による現金自動預払機３０１の紙幣入出金機３１０は、入金処理において各紙幣の劣化度合を決定せず、また紙幣情報も記憶せず、出金処理において紙幣収納庫１６から繰り出された紙幣それぞれの劣化度合をその都度決定し、選別条件を満たすもののみを選別して出金する。
【０１６７】
このため紙幣入出金機３１０は、例えば保守作業等により行われた装填作業により紙幣収納庫１６内に紙幣が装填され、当該紙幣について劣化度合が不明であったとしても、出金処理において各紙幣の劣化度合をその都度決定することで、選別条件を満たす紙幣のみを選別して出金することができる。これにより紙幣入出金機３１０は、第１の実施の形態と同様、利用者に改めて金融機関の窓口等において紙幣の両替や交換等の手続を行わせる必要が無い。
【０１６８】
その他の点においても、第３の実施の形態による紙幣入出金機３１０は、紙幣情報テーブルＴ１に関する部分を除き、第１の実施の形態と同様の作用効果を奏し得る。
【０１６９】
以上の構成によれば、第４の実施の形態による現金自動預払機３０１の紙幣入出金機３１０は、出金処理において、利用者の操作指示に基づき、出金すべき紙幣の金種及び劣化度合毎に選別枚数が決定されると、紙幣収納庫１６から繰り出した紙幣それぞれの劣化度合を決定しながら、選別条件を満たすもののみを選別して出金する。これにより紙幣入出金機３１０は、利用者が所望する劣化度合の紙幣を直接出金することができる。
【０１７０】
［５．他の実施の形態］
なお上述した第１の実施の形態においては、紙幣情報テーブルＴ１に記番号情報を格納し、第２の実施の形態においては紙幣情報テーブルＴ２に順序情報を格納することで、紙幣から読み取った記番号又は収納されている順序を基に、各紙幣収納テーブルに格納した劣化度合と実際の紙幣とを対応付ける場合について述べた。
【０１７１】
しかしながら本発明はこれに限らず、紙幣を個別に特定するための種々の情報を利用することにより、紙幣情報テーブルに格納した劣化度合と実際の紙幣とを対応付けるようにしても良い。さらには、例えば第１の実施の形態における記番号情報及び第２の実施の形態における順序情報の双方を紙幣情報テーブルに格納しても良い。これにより、例えば通常時に順序情報のみを参照することで検索処理の負荷を軽減する一方、重送や連鎖のような紙幣の搬送異常が発生した場合に記番号情報を参照することで、劣化度合を精度良く読み出すことが可能となる。
【０１７２】
また上述した第１の実施の形態においては、紙幣入出金機１０において行う入金処理において紙幣の劣化度合を決定し、読み取った記番号と対応付けて紙幣情報テーブルＴ１に格納する場合について述べた。
【０１７３】
しかしながら本発明はこれに限らず、例えば外部の紙幣処理装置において紙幣を鑑別して得られた鑑別結果を基に劣化度合を決定し、また当該紙幣から記番号を読み取るようにしても良い。紙幣入出金機１０は、この紙幣処理装置から劣化度合及び記番号を表す情報を取得して紙幣情報テーブルＴ１に格納しておくことで、第１の実施の形態と同様の選別出金処理を行うことができる。
【０１７４】
或いは、例えば紙幣入出金機１０における入金処理においては紙幣の劣化度合を決定すること無く紙幣収納庫１６に収納し、営業時間の終了後に行われる精査処理等において、紙幣収納庫１６内の紙幣を鑑別部１４により順次鑑別する際に、劣化度合を決定して紙幣情報テーブルＴ１に記憶させるようにしても良い。これにより、入金処理における処理負荷を軽減して入金取引を短時間で完了することができる。第２の実施の形態についても同様である。
【０１７５】
さらに上述した第１の実施の形態においては、各紙幣収納庫１６に収納した全ての紙幣に関する紙幣情報を１個の紙幣情報テーブルＴ１に格納する場合について述べた。しかしながら本発明はこれに限らず、例えば金種毎や紙幣収納庫１６毎に複数の紙幣情報テーブルＴ１を用意し、それぞれに対応する紙幣情報を分散して格納しても良い。この場合、対象紙幣の金種や繰り出した紙幣収納庫１６に応じて選択した紙幣情報テーブルから記番号を検索して紙幣情報を読み出せば良いため、検索処理の処理負荷を軽減することができる。
【０１７６】
さらに上述した第２の実施の形態においては、紙幣入出金機１１０において行う入金処理において紙幣の劣化度合を決定し、これを紙幣収納庫１６における集積の順序と対応付けて紙幣情報テーブルＴ２に格納する場合について述べた。
【０１７７】
しかしながら本発明はこれに限らず、例えば紙幣収納庫１６が紙幣入出金機１１０に対し装脱可能に構成されると共に、当該紙幣収納庫１６に紙幣を装填する紙幣装填装置を利用しても良い。すなわち、この紙幣装填装置において、紙幣収納庫１６に装填する紙幣をそれぞれ鑑別して劣化度合を決定し、その装填順序と対応付けて劣化度合を紙幣情報テーブルＴ２に記憶させておけば良い。紙幣入出金機１１０は、この紙幣収納庫１６が装填される場合、紙幣装填装置から紙幣情報テーブルＴ２を取得して記憶部１１１Ｍに記憶させておくことで、第２の実施の形態と同様の選別出金処理を行うことができる。
【０１７８】
さらに上述した第３の実施の形態においては、各紙幣収納庫１６に金種及び劣化度合をそれぞれ割り当て、紙幣入出金機２１０において行う入金処理において紙幣の劣化度合を決定し、その劣化度合毎及び金種に対応する紙幣収納庫１６に紙幣を収納する場合について述べた。
【０１７９】
しかしながら本発明はこれに限らず、例えば上述した場合と同様、紙幣収納庫１６が紙幣入出金機２１０に対し装脱可能に構成されると共に、当該紙幣収納庫１６に紙幣を装填する紙幣装填装置を利用しても良い。すなわち、この紙幣装填装置において、紙幣収納庫１６ごとに金種及び劣化度合を割り当てておき、装填する紙幣をそれぞれ鑑別して劣化度合を決定し、対応する紙幣収納庫１６に収納させれば良い。紙幣入出金機２１０は、この紙幣収納庫１６が装填される場合、割り当てられた金種及び劣化度合を紙幣収納庫情報テーブルＴ３に記憶させることで、第３の実施の形態と同様の選別出金処理を行うことができる。
【０１８０】
さらに上述した第１の実施の形態においては、選別条件決定処理において詳細指定画面Ｄ３（図１０）に表示する出金可能枚数テーブルＴ２１に、紙幣収納庫１６に収納している紙幣の金種及び劣化度合毎の枚数のみに基づいた枚数を表示する場合について述べた。
【０１８１】
しかしながら本発明はこれに限らず、例えば利用者が出金しようとしている口座の残高に応じた枚数を表示しても良く、さらには残高が大きい利用者に対して劣化度合の低い紙幣の出金可能枚数を増加させる等、他の種々の条件に応じて変化させた枚数を表示しても良い。或いは、例えば第４の実施の形態による詳細指定画面Ｄ５と同様、出金可能枚数テーブルＴ２１を省略しても良い。第２及び第３の実施の形態についても同様である。
【０１８２】
さらに上述した第１の実施の形態においては、選別条件決定処理において、簡易指定画面Ｄ２（図９）を表示することにより、利用者に選別条件を簡易指定させる機会を設ける場合について述べた。しかしながら本発明はこれに限らず、例えば簡易指定画面Ｄ２（図９）の表示を省略し、利用者に対し、詳細指定画面Ｄ３（図１０）により金種毎及び劣化度合毎の選別枚数を詳細に入力させて選別条件を決定させるようにしても良い。第２及び第３の実施の形態についても同様である。
【０１８３】
さらに上述した第１の実施の形態においては、出金処理の開始直後に取引種類選択画面Ｄ１（図７）を表示することにより、利用者に選別出金処理又は通常出金処理の何れを行うかを選択させる場合について述べた。しかしながら本発明はこれに限らず、例えば出金処理の開始直後に無条件に選別出金処理を開始し、利用者に必ず選別条件を決定させるようにしても良い。第２〜第４の実施の形態についても同様である。
【０１８４】
さらに上述した第１の実施の形態においては、紙幣の劣化度合を３段階に分類する場合について述べた。しかしながら本発明はこれに限らず、第３の実施の形態と同様の２段階に分類しても良く、或いは４段階以上に分類しても良い。また、金種毎に異なる分類数としても良く、さらには一部の金種について劣化度合を分類しないようにしても良い。第２〜第４の実施の形態についても同様である。
【０１８５】
さらに上述した第１の実施の形態においては、記憶部１１Ｍに紙幣情報テーブルＴ１を記憶させる場合について述べた。しかしながら本発明はこれに限らず、例えば現金自動預払機１における主制御部９の記憶部９Ｍや、通信回線等を介して接続された外部の情報処理装置等、種々の箇所に紙幣情報テーブルＴ１を記憶させても良い。第２〜第４の実施の形態についても同様である。
【０１８６】
さらに上述した第１の実施の形態においては、利用者との間で媒体としての紙幣を取引する現金自動預払機１に本発明を適用した場合について述べた。しかしながら本発明はこれに限らず、例えば金融機関の窓口に設置され紙幣の入金処理や出金処理を行う装置（いわゆるテラーマシン）、釣銭機や自動販売機、さらには各種金券や証券等の種々の媒体を利用者との間で取引する種々の装置に本発明を適用しても良い。第２〜第４の実施の形態についても同様である。
【０１８７】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１８８】
さらに上述した実施の形態においては、収納部としての紙幣収納庫１６と、受付部としての操作表示部６と、搬送部としての搬送部１３と、排出部としての入出金部１２と、選別処理部としての選別処理部１１Ｓと、制御部としての紙幣制御部１１とによって媒体取引装置としての現金自動預払機１を構成する場合について述べた。
【０１８９】
しかしながら本発明はこれに限らず、その他種々の構成でなる収納部と、受付部と、搬送部と、排出部と、選別処理部と、制御部とによって媒体取引装置を構成しても良い。
【産業上の利用可能性】
【０１９０】
本発明は、例えば利用者との間で紙幣を介した取引処理を行う現金自動預払機でも利用できる。
【符号の説明】
【０１９１】
１、１０１、２０１、３０１……現金自動預払機、６……操作表示部、９……主制御部、９Ｍ……記憶部、１０、１１０、２１０、３１０……紙幣入出金機、１１、１１１、２１１、３１１……紙幣制御部、１１Ｄ……劣化度合決定部、１１Ｍ、１１１Ｍ、２１１Ｍ、３１１Ｍ……記憶部、１１Ｓ、１１１Ｓ、２１１Ｓ、３１１Ｓ……選別処理部、１２……入出金部、１３……搬送部、１４……鑑別部、１５……一時保留部、１６……紙幣収納庫、１７……リジェクト庫、Ｄ１……取引種類選択画面、Ｄ２……簡易指定画面、Ｄ３、Ｄ５……詳細指定画面、Ｄ４……条件変更確認画面、Ｔ１、Ｔ２……紙幣情報テーブル、Ｔ３……紙幣収納庫情報テーブル、Ｔ１１、Ｔ２１……出金可能枚数テーブル、Ｔ１２、Ｔ２２、Ｔ４１……枚数入力テーブル、Ｔ３１……枚数提示テーブル。
【図１】
2016012183.tif 000003
【図２】
2016012183.tif 000004
【図３】
2016012183.tif 000005
【図４】
2016012183.tif 000006
【図５】
2016012183.tif 000007
【図６】
2016012183.tif 000008
【図７】
2016012183.tif 000009
【図８】
2016012183.tif 000010
【図９】
2016012183.tif 000011
【図１０】
2016012183.tif 000012
【図１１】
2016012183.tif 000013
【図１２】
2016012183.tif 000014
【図１３】
2016012183.tif 000015
【図１４】
2016012183.tif 000016
【図１５】
2016012183.tif 000017
【図１６】
2016012183.tif 000018
【図１７】
2016012183.tif 000019
【図１８】
2016012183.tif 000020
【図１９】
2016012183.tif 000021